(57)【要約】      （修正有）【課題】看護要員による手での切断の必要がなく、それによって看護要員に利便性がもたらされ、作業効率が向上する医療用管固定ステッカーを提供する。【解決手段】医療用管固定ステッカーは、互いに分離可能な鼻貼着部２及び顔貼着部１を含む事前製造本体１００を備え、鼻貼着部２が、鼻への粘着のための粘着部分２１と、医療用管の固定のための固定部分２２とを含み、顔貼着部１が、顔近くの位置への医療用管の粘着に使用される。鼻貼着部２及び顔貼着部１が、ともに矩形をしており、各々の幅方向に隣り合うように配置されている。【選択図】図１
0003221453.tif 000002
【実用新案登録請求の範囲】
【請求項１】
互いに分離可能な鼻貼着部及び顔貼着部を含む事前製造本体を備えた医療用管固定ステッカーであって、
前記鼻貼着部が、鼻への粘着のための粘着部分と、医療用管の固定のための固定部分とを含み、
前記顔貼着部が、顔近くの位置への前記医療用管の粘着に使用される、医療用管固定ステッカー。
【請求項２】
前記鼻貼着部及び前記顔貼着部が、ともに矩形をしており、その幅方向に隣り合うように配置されている、請求項１に記載の医療用管固定ステッカー。
【請求項３】
前記粘着部分及び前記固定部分が、前記鼻貼着部の長さ方向に全体的に矩形を形成するように連結されており、
前記固定部分が位置する側の前記鼻貼着部の第１の短辺が、直線状であり、
前記粘着部分が位置する側の前記鼻貼着部の第２の短辺が、曲線状であり、前記第２の短辺の中央部が、前記粘着部分の外側に向かってくぼんでおり、前記第２の短辺の前記中央部の両側の縁部が、前記粘着部分の内側に向かってくぼんでおり、
前記鼻貼着部の２つの長辺が、ともに直線状である、請求項２に記載の医療用管固定ステッカー。
【請求項４】
前記中央部及び前記縁部の全体が弧形である、請求項３に記載の医療用管固定ステッカー。
【請求項５】
前記中央部の円弧半径が６ｍｍであり、前記縁部の円弧半径が８．５ｍｍである、請求項４に記載の医療用管固定ステッカー。
【請求項６】
前記顔貼着部の第１の短辺及び第２の短辺が、ともに直線状であり、前記鼻貼着部の前記第１の短辺と同じ側に位置し、前記顔貼着部の前記第１の短辺が、前記鼻貼着部の前記第１の短辺と同一直線上にあり、
前記顔貼着部の２つの長辺が、ともに直線状であり、前記顔貼着部の前記長辺の長さが、前記鼻貼着部の前記長辺の長さと同じである、請求項３に記載の医療用管固定ステッカー。
【請求項７】
前記鼻貼着部の前記第１の短辺が、前記固定部分が前記医療用管の周りに巻き付くための２本の固定ストリップを形成するように、線形開部を有する、請求項３に記載の医療用管固定ステッカー。
【請求項８】
前記線形開部が、直線状であり、前記鼻貼着部の前記長辺と平行であり、前記２本の固定ストリップの幅が同じである、請求項７に記載の医療用管固定ステッカー。
【請求項９】
切込みが、前記粘着部分の前記線形開部の位置に設けられており、前記粘着部分の平面における前記切込みの投影形状が、Ｖ字形であり、前記切込みの投影形状と前記線形開部の投影形状とが相まってＹ字形を形成している、請求項７に記載の医療用管固定ステッカー。
【請求項１０】
前記鼻貼着部の作用面及び前記顔貼着部の作用面が、ともに粘着性を有し、同じ剥離紙に取り付けられている、請求項３に記載の医療用管固定ステッカー。
【請求項１１】
前記剥離紙が、互いに分離可能な２つの副部分を含み、前記鼻貼着部の前記作用面及び前記顔貼着部の前記作用面が、それぞれ前記２つの副部分に取り付けられている、請求項１０に記載の医療用管固定ステッカー。
【考案の詳細な説明】
【技術分野】
【０００１】
本実用新案は、医療用の材料の分野に関し、詳細には、医療用管固定ステッカーに関する。
【背景技術】
【０００２】
胃腸減圧（gastrointestinal decompression）や嚥下困難を患う患者にとって、経鼻胃管の留置は一般的な看護手技である。鼻孔から挿入され、喉及び食道を通って胃に到達する経鼻胃管は、患者からの胃液の抜き取り、又は、必要な食品及び栄養を提供するために患者の胃への液体の注入のために使用される。看護の際、経鼻胃管が効果的に固定されること及び閉塞されないことを確実にし、誤嚥を生じやすくする経鼻胃管の汚染、落下及び他の状況を防止するために、十分な注意を払わなければならない。
【０００３】
臨床作業において、鼻の側部と頬に経鼻胃管を固定するのに、通常、医療用粘着テープが使用される。しかし、既存の医療用粘着テープは、一片の矩形の粘着テープであり、したがって看護要員は、経鼻胃管を鼻の側部と頬それぞれに固定するためにその粘着テープを２つに切断し、経鼻胃管を鼻の側部に固定する部分から開部（opening）を切り取って経鼻胃管の周りに巻き付けるための２本の固定ストリップを形成する必要がある。これは、看護要員にとって手間がかかり、作業効率が低減する。
【考案の概要】
【０００４】
従来技術における技術的な問題のうちの少なくとも１つを解決することを目的として、本実用新案は、医療用管路固定ステッカーを提供する。医療用管路固定ステッカーは、医療用管路を鼻及び顔のそれぞれに固定するように事前製造された２つの部材を有し、したがって、看護要員による手での切断の必要がなく、それによって看護要員に利便性がもたらされ、作業効率が向上する。
【０００５】
本実用新案の目的を達成するため、互いに分離可能な鼻貼着部及び顔貼着部を含む事前製造本体を備えた医療用管固定ステッカーであって、
鼻貼着部が、鼻への粘着のための粘着部分と、医療用管の固定のための固定部分とを含み、
顔貼着部が、顔近くの位置への医療用管の粘着に使用される、医療用管固定ステッカーが提供される。
【０００６】
好ましくは、鼻貼着部及び顔貼着部は、ともに矩形をしており、その幅方向に隣り合って配置されている。
【０００７】
好ましくは、粘着部分及び固定部分は、鼻貼着部の長さ方向に全体的に矩形を形成するように連結されており、
固定部分が位置する側の鼻貼着部の第１の短辺は、直線状であり、
粘着部分が位置する側の鼻貼着部の第２の短辺は、曲線状であり、第２の短辺の中央部は、粘着部分の外側に向かってくぼんでおり、第２の短辺の中央部の両側の縁部は、粘着部分の内側に向かってくぼんでおり、
鼻貼着部の２つの長辺は、ともに直線状である。
【０００８】
好ましくは、中央部及び縁部の全体は、弧形である。
【０００９】
好ましくは、中央部の円弧半径は６ｍｍであり、縁部の円弧半径は８．５ｍｍである。
【００１０】
好ましくは、顔貼着部の第１の短辺及び第２の短辺は、ともに直線状であり、鼻貼着部の第１の短辺と同じ側に位置し、顔貼着部の第１の短辺は、鼻貼着部の第１の短辺と同一直線上にあり、顔貼着部の２つの長辺は、ともに直線状であり、顔貼着部の長辺の長さは、鼻貼着部の長辺の長さと同じである。
【００１１】
好ましくは、鼻貼着部の第１の短辺は、固定部分が医療用管の周りに巻き付くための２本の固定ストリップを形成するように、線形開部を有する。
【００１２】
好ましくは、線形開部は、直線状であり、鼻貼着部の長辺と平行であり、２本の固定ストリップの幅は同じである。
【００１３】
好ましくは、切込みは、粘着部分の線形開部の位置に設けられており、粘着部分の平面における切込みの投影形状は、Ｖ字形であり、切込みの投影形状と線形開部の投影形状とが相まってＹ字形を形成している。
【００１４】
好ましくは、鼻貼着部の作用面及び顔貼着部の作用面は、ともに粘着性を有し、同じ剥離紙に取り付けられている。
【００１５】
好ましくは、剥離紙は、互いに分離可能な２つの副部分を含み、鼻貼着部の作用面及び顔貼着部の作用面は、それぞれ２つの副部分に取り付けられている。
【００１６】
本実用新案は、以下の有益な効果を有する。
本実用新案において提供される医療用管固定ステッカーは、事前製造本体を備え、事前製造本体は、互いに分離可能な鼻貼着部及び顔貼着部を含み、鼻貼着部は、鼻への粘着のための粘着部分と、医療用管の固定のための固定部分とを含み、顔貼着部は、顔近くの位置への医療用管の粘着に使用される。このように、看護要員は、彼らが手で切断する必要なくして、鼻貼着部及び顔貼着部をそれぞれ用いて医療用管路を鼻及び顔に直接固定することができ、それによって看護要員に利便性がもたらされ、作業効率が向上する。
【図面の簡単な説明】
【００１７】
【図１】本実用新案の一実施形態において提供される医療用管路固定ステッカーの構造を示す図である。
【図２】本実用新案の実施形態において提供される医療用管路固定ステッカーの上面図である。
【図３】本実用新案の実施形態において提供される医療用管路ステッカーの分解図である。
【図４Ａ】本実用新案の実施形態のうち、好ましい一実施形態において提供される医療用管路固定ステッカーの構造を示す図である。
【図４Ｂ】図４Ａの医療用管路固定ステッカーの上面図である。
【図５Ａ】本実用新案の実施形態のうち、好ましい他の一実施形態において提供される医療用管路固定ステッカーの構造を示す図である。
【図５Ｂ】図５Ａの医療用管路固定ステッカーの上面図である。
【図６】本実用新案の実施形態で使用される鼻貼着部の、鼻の上での取り付け位置を示す図である。
【図７】本実用新案の実施形態において提供される医療用管路固定ステッカーの取り付けを示す概略図である。
【考案を実施するための形態】
【００１８】
本実用新案の技術的な解決法を当業者がより良く理解するために、添付の図面を参照して本実用新案において提供される医療用管路固定ステッカーが以下に詳細に記載される。
【００１９】
図１を参照されたい。本実用新案の一実施形態において提供される医療用管固定ステッカーは、事前製造本体１００を備え、事前製造本体１００は、互いに分離可能な鼻貼着部２及び顔貼着部１を含む。鼻貼着部２は、鼻を貼着させるための粘着部分２１と医療用管を固定するための固定部分２２を含み、顔貼着部１は、医療用管を顔近くの位置に貼着させるために使用される。
【００２０】
このように、看護要員は、彼らが手で切断する必要なくして、鼻貼着部２及び顔貼着部１をそれぞれ用いて医療用管路を鼻及び顔に直接固定することができ、それによって看護要員に利便性がもたらされ、作業効率が向上する。
【００２１】
医療用管路としては、経鼻胃管、鼻カニューレ、又は他の医療用カテーテルが挙げられる。
【００２２】
この実施形態では、鼻貼着部２及び顔貼着部１は、ともに矩形であり、その幅方向に隣り合って配置されている。このようなよりコンパクトな配置により、固定ステッカーの全体のサイズが減少される。
【００２３】
図２を参照されたい。この実施形態では、粘着部分２１及び固定部分２２は、鼻貼着部２の長さ方向に全体として矩形を形成するように連結され、固定部分２２が位置する側の第１の短辺（図２の固定部分２２の右側の短辺）は、直線状であり、粘着部分２１が位置する側の第２の短辺（図２の粘着部分２１の左側の短辺）は、曲線状である。第２の短辺の中央部２２２ａは、粘着部分２１の外側の方に向けてくぼんでおり、第２の短辺の中央部２２２ａの両側の縁部２２ｂは、粘着部分２１の内側の方に向けてくぼんでいる。鼻貼着部２の２つの長辺は、ともに直線状である。
【００２４】
中央部２２２ａによって、粘着部分２１と鼻との間の取り付け面積が増大され、それによってよりしっかりとした取り付けが達成され得る。その一方で、縁部２２２ｂによって、粘着部分２１は、鼻の形状に適合することができ、それによって取り付けの快適性が向上する。
【００２５】
加工しやすいように、中央部２２２ａ及び縁部２２２ｂの全体が弧形であることが好ましい。実際の適用において、中央部２２２ａの円弧の半径は６ｍｍであってよく、縁部２２２ｂの円弧の半径は８．５ｍｍであってよい。
【００２６】
この実施形態では、顔貼着部１の第１の短辺及び第２の短辺は、直線状であり、第１の短辺は、鼻貼着部２の第１の短辺と同じ側に位置し、顔貼着部１の第１の短辺は、鼻貼着部２の第１の短辺と同一直線上にあり、顔貼着部１の２つの長辺は、ともに直線状であり、顔貼着部１の長辺の長さは、鼻貼着部２の長辺の長さと同じである。このように、事前製造本体１００の全体の形状は、よりコンパクトな構造を達成し加工しやすくするために、概ね矩形とすることができる。
【００２７】
この実施形態では、鼻貼着部２の第１の短辺は、固定部分２２が医療用管の周りに巻き付くための２本の固定ストリップ（２２ａ、２２ｂ）を形成するように、線形開部２２１を有する。線形開部２２１は、直線状であり、鼻貼着部２の長辺と平行であり、２つの固定ストリップ（２２ａ、２２ｂ）の幅は等しいことが好ましい。
【００２８】
図４Ａ及び図４Ｂの両方を参照されたい。この実施形態の好ましい一実施形態のように、切込み５が線形開部２２１の一部分に設けられ、粘着部分２１の平面への切込み５の投影形状は、Ｖ字形であり、切込み５の投影形状と線形開部２２１の投影形状とが相まってＹ字形を形成する。切込み５によって、粘着部分２１は、鼻の先端により良く適合することができるようになり、それによってよりしっかりとした取り付けが達成される。
【００２９】
確実には、実際の適用において、粘着部分２１の平面における切込み５の形状は、粘着部分２１が鼻の先端により良好に適合することができるのであれば、任意の他の形状であってもよい。
【００３０】
この実施形態では、粘着部分２１が位置する側の第２の短辺（図４Ａ及び図４Ｂの粘着部分２１の左側の短辺）は曲線状であるが、本実用新案は、それに限定されないことに留意されたい。実際の適用において、粘着部分２１が位置する側の第２の短辺は、直線状であってもよい。
【００３１】
図５Ａ及び図５Ｂを参照されたい。具体的には、この実施形態の更に他の好ましい実施形態として、この実施形態において提供される医療用管固定ステッカーは、上述の好ましい実施形態において提供される医療用管固定ステッカーと実質的に同じである。これらの唯一の違いは、この実施形態では、粘着部分２１が位置する側の第２の短辺（図５Ａ及び図５Ｂの粘着部分２１の左側の短辺）が直線状である、ということである。
【００３２】
この実施形態では、鼻貼着部２及び顔貼着部１の作用面はともに粘着性を有しており、同じ剥離紙３に取り付けられている。好ましくは、図３に示すように、剥離紙３は、互いに分離可能な２つの副部分（３１、３２）を含み、鼻貼着部２及び顔貼着部１の作用面は、２つの副部分（３１、３２）にそれぞれ取り付けられている。このようにして、２つの副部材（３１、３２）は引き裂くことができ、それでも鼻貼着部２及び顔貼着部１は２つの副部分（３１、３２）に取り付けられたままであり、したがって使い勝手が良い。実際の適用では、２つの副部分（３１、３２）同士の間の境界は、その境界で容易に引き裂くことができるように加工されてよい。
【００３３】
図２を参照されたい。本実用新案の実施形態は、医療用管固定ステッカーのサイズを提供し、具体的には、顔貼着部１の２つの短辺の長さはともに１５ｍｍであり、鼻貼着部２の第１の短辺の長さは２５ｍｍであり、２本の固定ストリップ（２２ａ、２２ｂ）の短辺の長さはともに１２．５ｍｍであり、顔貼着部１の長辺の長さ及び鼻貼着部２の長辺の長さは等しくともに８０ｍｍであり、線形開部２２１の長さは５０ｍｍであり、中央部２２２ａの円弧中心と鼻貼着部２の第１の短辺との間の長さは８０ｍｍであり、中央部２２２ａの弧線と鼻貼着部２の第１の短辺との間の最大長さは８８．５ｍｍである。剥離紙３の長さは９１ｍｍであり、剥離紙３の幅は４０ｍｍである。
【００３４】
図６及び図７を参照されたい。医療用管固定ステッカーの使用のとき、まず鼻貼着部２の粘着部分２１を鼻に取り付け、次いで、２本の固定ストリップ（２２ａ、２２ｂ）を医療用管４に巻き付け、最後に顔貼着部１を用いて医療用管４を顔近くの位置に粘着させる。
【００３５】
上記を鑑み、本実用新案の実施形態において提供される医療用管路固定ステッカーによって、看護要員は、彼らが手で切断する必要なくして、鼻貼着部２及び顔貼着部１をそれぞれ用いて医療用管路を鼻及び顔に直接固定することができ、それによって看護要員に利便性がもたらされ、作業効率が向上する。
【００３６】
上述の実施形態は、本実用新案の原理を示すために用いられた単なる例示的な実施形態であり、本実用新案を限定するものではないことを理解することができる。当業者には、本実用新案の趣旨及び本質を逸脱することなく様々なバリエーション及び改良形態が可能であり、そうしたバリエーション及び改良形態も、本実用新案の保護範囲内に入るとして考えられる。
【図１】
0003221453.tif 000003
【図２】
0003221453.tif 000004
【図３】
0003221453.tif 000005
【図４Ａ】
0003221453.tif 000006
【図４Ｂ】
0003221453.tif 000007
【図５Ａ】
0003221453.tif 000008
【図５Ｂ】
0003221453.tif 000009
【図６】
0003221453.tif 000010
【図７】
0003221453.tif 000011
【手続補正書】
【提出日】平成31年4月8日(2019.4.8)
【手続補正１】
【補正対象書類名】図面
【補正対象項目名】全図
【補正方法】変更
【補正の内容】
【図１】
0003221453.tif 000012
【図２】
0003221453.tif 000013
【図３】
0003221453.tif 000014
【図４Ａ】
0003221453.tif 000015
【図４Ｂ】
0003221453.tif 000016
【図５Ａ】
0003221453.tif 000017
【図５Ｂ】
0003221453.tif 000018
【図６】
0003221453.tif 000019
【図７】
0003221453.tif 000020